(57)【要約】【課題】車内でティッシュをベストな状態に保ち、且つ車内の狭いスペースにて使用に便利な個所に効果的に定位する。【解決手段】  蓋１１の上部中央に中空の設置部１２を設け、該設置部１２内縁に収容室１２１を設け、該収容室１２１には磁石１４を設置した磁石設置部１３を定位し、該磁石設置部１３両側面下端には設置槽１３２を設け、該設置槽１３２内には使用者が適宜加える液体を吸収させるスポンジ１５を設け、また該蓋１１の周縁に係合部１１０を設け、該係合部１１０をティッシュ収容部１６のガイドレール１６２にて摺動させて該蓋１１と該ティッシュ収容部１６とを一体化し、該磁石１４の磁力により車内天井部等に貼設することで定位する。【選択図】  図１
0003119568.tif 000002
【実用新案登録請求の範囲】
【請求項１】
蓋と、連結装置とより構成される車用ティッシュホルダにおいて、
中央に一つ以上の中空を呈した設置部が形成され、該設置部内縁には収容室を具有し、該収容室には磁石を設置した磁石設置部を固定し、磁石の磁力によって車のボディー内部の天井部に貼設され、且つ該磁石設置部の二つの外側面には少なくとも一つの設置槽を具有し、且つ外設置槽には使用者が適宜加える水分を吸収するスポンジを設置する該蓋と、
該蓋周囲に沿って少なくとも一対設けられ、ティッシュ収容部を該蓋と共に車内の天井部に貼設されるべく該蓋上に固定する該連結装置と、
を具有することを特徴とする車用ティッシュホルダ。
【請求項２】
該連結装置とは、フック状、或いはレール状、或いは弾力を有するチップ状のものであることを特徴とする請求項１記載の車用ティッシュホルダ。
【請求項３】
蓋と、粘着装置と、より構成される車用ティッシュホルダにおいて、
中央には一つ以上の中空を呈した設置部が形成され、該設置部内縁には収容室を具有し、該収容室には磁石を設置した磁石設置部を定位し、該磁石の磁力により車のボディー内部の天井部に貼設置される該蓋と、
該蓋周囲に沿って少なくとも一対設けられ、ティッシュケースに巻きつけることで該ティッシュケースが該蓋と共に車内の天井部に貼設されるべく該蓋上に固定する該粘着装置と、
を具有することを特徴とする車用ティッシュホルダ。
【考案の詳細な説明】
【技術分野】
【０００１】
本考案は車用ティッシュホルダに係り、特に必要に応じて使用者により適宜液体が内部に加えられることで、ティッシュの適当な湿度を保ちベストな状態を提供すると同時に、車内の狭い空間にて使用に便利なよう固定する構造を具有するティッシュホルダに関わる。
【背景技術】
【０００２】
多くの車の持ち主は、限りある空間で何かと役に立つことから、そのほとんどが車内にティッシュを常備しておく。
【０００３】
しかし、一般に自動車は外の広い個所等に駐車することが多いが、往々にして日光が長時間当たることで車内の空気が高温状態になり易い。エンジンをかければクーラーや送風を利用し空気を循環させ、人体が心地よいと感じる空間を提供ることはできるものの、車内の物品、特にティッシュにおいて、長期的に高温の状況下に置かれていることで、ティッシュが劣化しやすく、塵が生じたり、状態が更に悪ければ品質全体が落ち、強度も劣り、ティッシュの寿命を縮めることが言える。資源の無駄となるばかりか、車内においてしばしば使用されるため、あちこちに置かれたり、隅に入り込んで見つからないということが多々ある。
【特許文献１】実開平６−９５８号公報
【考案の開示】
【考案が解決しようとする課題】
【０００４】
上記の欠点に鑑み、ティッシュの品質を保つと同時に車内での使用が更に便利な本考案の車用ティッシュホルダを提供する。
【課題を解決するための手段】
【０００５】
上記の課題を解決するために、本考案は、下記の特徴を有する車用ティッシュホルダを提供する。
１．請求項１に記載の車用ティッシュホルダは、蓋と、連結装置とより構成される車用ティッシュホルダにおいて、中央に一つ以上の中空を呈した設置部が形成され、該設置部内縁には収容室を具有し、該収容室には磁石を設置した磁石設置部を固定し、磁石の磁力によって車のボディー内部の天井部に貼設され、且つ該磁石設置部の二つの外側面には少なくとも一つの設置槽を具有し、且つ外設置槽には使用者が適宜加える水分を吸収するスポンジを設置する該蓋と、該蓋周囲に沿って少なくとも一対設けられ、ティッシュ収容部を該蓋と共に車内の天井部に貼設されるべく該蓋上に固定する該連結装置と、を具有することを特徴とする。
２．請求項２に記載の車用ティッシュホルダは、請求項１の場合において、
該連結装置とは、フック状、或いはレール状、或いは弾力を有するチップ状のものであることを特徴とする。
３．請求項３に記載の車用ティッシュホルダは、蓋と、粘着装置と、より構成される車用ティッシュホルダにおいて、中央には一つ以上の中空を呈した設置部が形成され、該設置部内縁には収容室を具有し、該収容室には磁石を設置した磁石設置部を定位し、該磁石の磁力により車のボディー内部の天井部に貼設置される該蓋と、該蓋周囲に沿って少なくとも一対設けられ、ティッシュケースに巻きつけることで該ティッシュケースが該蓋と共に車内の天井部に貼設されるべく該蓋上に固定する該粘着装置と、を具有することを特徴とする。
【考案の効果】
【０００６】
本考案によると、車内に長期間ティッシュを置いた場合でも、ティッシュの状態が最良に保たれ、また車内の限られたスペース内で使用に便利な個所に効果的且つ容易に設置する目的が達成された。
【考案を実施するための最良の形態】
【０００７】
図１から図３に示すように、本考案の車用ティッシュホルダにおいて、該ティッシュホルダ１は蓋１１、設置部１２、磁石設置部１３、磁石１４、スポンジ１５及びティッシュ収容部１６より構成される。該蓋１１上部中央個所に中空を呈した設置部１２が設けられ、該設置部１２内縁は収容室１２１となっており、該収容室１２１の一対の相対する縁には小横穴１２２が設けられる。該蓋１１周囲に沿っては係合部１１０が設けられ、且つ該設置部１２下端に磁石設置部１３が設けられ、該磁石設置部１３の両側面下端には設置槽１３２が設けられる。該設置槽１３２内にはスポンジ１５が設けられ、該設置槽１３２は内部に液体が注入可能となっており、該スポンジ１５に該液体の水分を吸収させ、ティッシュの湿度を最適に保つべく、使用者は適時液体を加えて使用する。磁石設置部１３の中間個所には開口部１３１が設けられ、該開口部１３１内には磁石１４が設置され、該磁石設置部１３の相対する一対の側面には定位片１３３を設けることで、該設置部１２内の小横穴１２２に嵌合並びに定位し、該磁石設置部１３と蓋１１とを一体にする。該設置部１２の収容室１２１内には二対の相対する小横穴１２２が設けられ、且つ同じ側面に設けられた二つの小横穴１２２は平行に配列されており、該収容室１２１内にて該磁石設置部１３の定位部を着脱が容易なように定位する構造となっている（図１参照）。該蓋１１下方にはティッシュ収容部１６を具有し、該ティッシュ収容部１６上は上方に開口する収容室１６１を具有し、該収容室１６１内にはティッシュボックスや数枚に重ねたティッシュが収容され、且つ該収容室１６１内縁上端には一対のガイドレール１６２が設けられ、該ガイドレール１６２は該蓋１１の両側の係合部１１０が摺動並びに定位される個所を提供し、該蓋１１と該ティッシュ収容部１６を一体化する。該設置部１２上部は該蓋１１上部及び該磁石設置部１３よりも高く、階段状の外観を形成し、本考案が該磁石１４の磁力により車の天井部に貼設し、該ティッシュ収容部１６の底部中心個所にはティッシュ取り出し用の孔を設けることで、ティッシュが連続して取り出せるようにする（図２参照）。該ティッシュ収容部１６が透光性を具有する材質である場合、使用者は該ティッシュ収容部１６の内側とティッシュの箱の外囲の隙間に所望の図案１７を挿入した上、該蓋１１とティッシュ収容部１６を摺動し定位する（図３参照）。
【０００８】
図４、図５に示すように、本考案の車用ティッシュホルダ１には、該蓋１１の上部中央個所に中空の設置部１２が設けられており、且つ該蓋１１の周囲には係合部１１０が設けられているが、更に該蓋１１の下端にはティッシュ収容部１８を設け、該ティッシュ収容部１８の両側面には大横穴１８２を設けることで、該蓋１１の係合部１１０が該ティッシュ収容部１８の大横穴１８２に嵌合されて固定され、該蓋１１と該ティッシュ収容部１８が一体化される。且つ該ティッシュ収容部１８内開口側には収容室１８１が設けられ、該収容室１８１では数枚の重ねられたティッシュを収容する個所を提供し、該収容室１８１底面にはティッシュ取り出し用の孔が設けられ、ティッシュを取り出す個所を提供する。
【０００９】
図６に示すように、本考案の車用ティッシュホルダ１は、磁石１４により該設置部１２上部を車のボディー４内壁に設けられる柔軟な軟質層５に押し付け、該柔軟層５が扁平状を呈するようにし、該設置部１２上部の該ボディー４内壁の軟質層５は該ティッシュホルダ１上方に密着した状態となり、つまり本考案のティッシュホルダ１が車内におけるボディー４の任意の個所にて定位されるが、該ボディー４は日光に照射されることで温度が過剰に上昇することでティッシュ６が乾燥し塵が増す。これを防止するべく該スポンジ１５内より発生する液体が水蒸気で、該ティッシュ６をベストな状態に保つべく、適度な湿度を提供する。
【００１０】
図７及び図８に示すように、本考案の車用ティッシュホルダ２は、蓋２１の上部中央個所に中空の設置部２２を具有し、該設置部２２内には収容室２２１を設け、該収容室２２１内には二対の小横穴２２２を設け、該設置部２２の収容室２２１下方には磁石設置部２４を設ける。該磁石設置部２４の中央個所には開口部２４１を設け、該開口部２４１内には磁石２３を設け、該磁石設置部２４の別の両側には一対の定位片２４２を設ける。該磁石設置部２４を該収容室２２１内に挿入する際は、該磁石設置部２４上の二対の定位片２４２を該設置部２２内の二対の小横穴２２２に対応させて固定し、該磁石設置部２４と該蓋２１とを一体化する。該蓋２１上部の四つの角には二対の面ファスナー２６，２７を設け（図７参照）、該ティッシュ３を本考案のティッシュホルダ２に設置する際、該ティッシュボックス３のティッシュ取り出し個所を下方に向け、該ティッシュボックス３の該ティッシュ取り出し個所側を該ティッシュホルダ２の底面に密着させ、該面ファスナ２７を該蓋２１下方にまで巻きつけ、該面ファスナ２７の至端を、その対となる面ファスナ２６に粘着させる。こうすることで該ティッシュボックス３が該蓋２１の下方にて堅牢に固定される（図８参照）。また該磁石２３の磁力により上述同様に車のボディー４内部に貼設すれば、ティッシュが車内で便利に使用できるようティッシュホルダ２が車内に設置完了する。
【図面の簡単な説明】
【００１１】
【図１】本考案の分解説明図である。
【図２】本考案の組み立て動作説明図である。
【図３】本考案の第一実施例を示す図である。
【図４】本考案の第二実施例を示し、嵌合する様子を示す図である。
【図５】本考案の第二実施例の組み立て後の図である。
【図６】本考案の第一実施例における断面図である。
【図７】本考案における第三実施例の分解図である。
【図８】本考案における第三実施例の組み立て後の図である。
【符号の説明】
【００１２】
１、２  車用ティッシュホルダ
１１、２１  蓋
１１０  係合部
１２、２２  設置部
１２１、２２１  収容室
１２２  小横穴
１３、２４  磁石設置部
１３１、２４１  開口部
１３２  設置槽
１３３、２４２  定位片
１４、２３  磁石
１５  スポンジ
１６、１８  ティッシュ収容部
１６１、１８１  収容室
１６２  ガイドレール
１７  図案
１８２  大横穴
２２２  小横穴
２６、２７  面ファスナー
３  ティッシュボックス
４  車のボディー
５  軟質層
６  ティッシュ
【図１】
0003119568.tif 000003
【図２】
0003119568.tif 000004
【図３】
0003119568.tif 000005
【図４】
0003119568.tif 000006
【図５】
0003119568.tif 000007
【図６】
0003119568.tif 000008
【図７】
0003119568.tif 000009
【図８】
0003119568.tif 000010